(57)【特許請求の範囲】
【請求項１】
ドアに関連付けられた無線バッテリレススイッチと、
照明負荷、発音負荷、又はその双方に接続された受信機と
を含み、
前記受信機は、前記無線バッテリレススイッチからの信号に応答してドア通知を与えるべく動作可能であり、
前記ドア通知は、前記照明負荷のフラッシュ、前記発音負荷からの音、又はその双方を含み、
前記無線バッテリレススイッチのエネルギーが、光起電力電池を使用するエネルギー回収器によって供給され、
前記無線バッテリレススイッチは前記ドアのドアベルボタンに組み込まれるドア通知システム。
【請求項２】
前記ドア通知は、前記照明負荷のフラッシュ及び前記発音負荷からの音を含む、請求項１に記載のシステム。
【請求項３】
前記エネルギー回収機は、太陽エネルギーを回収するべく動作可能である、請求項１に記載のシステム。
【請求項４】
前記無線バッテリレススイッチは建物の外部に取り付けられ、前記受信機は前記建物の内部に取り付けられる、請求項１に記載のシステム。
【請求項５】
前記発音負荷はスピーカに対応する、請求項１に記載のシステム。
【請求項６】
前記発音負荷はチャイムに対応する、請求項１に記載のシステム。
【請求項７】
前記受信機は、前記無線バッテリレススイッチからの信号に応答して第１音を鳴らすべく動作可能であり、前記受信機は、第２無線バッテリレススイッチからの信号に応答して第２音を鳴らすべく動作可能である、請求項１に記載のシステム。
【請求項８】
前記ドアは、子供用ドア、ペット用ドア、地下室ドア、エレベータルーフドア、非常口ドア、高齢者用ドアからなるグループから選択される少なくとも１つのドアに対応する、請求項１に記載のシステム。
【請求項９】
前記受信機は、前記無線バッテリレススイッチの第１クリックパターンに応答して第１ドア通知を与えるべく、及び、前記無線バッテリレススイッチの第２クリックパターンに応答して第２ドア通知を与えるべくプログラム可能である、請求項１に記載のシステム。
【請求項１０】
ドアに関連付けられた無線バッテリレススイッチと、
電気コンセントに差し込まれるべく動作可能であって、ビルトイン発音負荷を含む携帯可能受信機と
を含み、
前記携帯可能受信機は、前記発音負荷を作動させて前記無線バッテリレススイッチからの信号に応答して音声信号を生成するべく動作可能であり、
前記無線バッテリレススイッチのエネルギーが、光起電力電池を使用するエネルギー回収器によって供給され、
前記無線バッテリレススイッチは前記ドアのドアベルボタンに組み込まれるドア通知システム。
【請求項１１】
前記エネルギー回収機は、太陽エネルギーを回収するべく動作可能である、請求項１０に記載のシステム。
【請求項１２】
前記無線バッテリレススイッチは建物の外部に取り付けられ、前記電気コンセントは前記建物の内部にある、請求項１０に記載のシステム。
【請求項１３】
前記発音負荷はスピーカに対応する、請求項１０に記載のシステム。
【請求項１４】
前記発音負荷はチャイムに対応する請求項１０に記載のシステム。
【請求項１５】
前記携帯可能受信機は、前記無線バッテリレススイッチからの信号に応答して第１音を鳴らすべく動作可能であり、前記携帯可能受信機は、第２無線バッテリレススイッチからの信号に応答して第２音を鳴らすべく動作可能である、請求項１０に記載のシステム。
【請求項１６】
前記ドアは、子供用ドア、ペット用ドア、地下室ドア、エレベータルーフドア、非常口ドア、高齢者用ドアからなるグループから選択される少なくとも１つのドアに対応する、請求項１０に記載のシステム。
【発明の詳細な説明】
【技術分野】
【０００１】
本願はドア通知システムに関し、詳しくは、無線バッテリレススイッチ動作を含むドア通知システムに関する。
【０００２】
関連出願の相互参照
本願は、２００７年８月５日出願の米国仮特許出願第６０／９５４，００７号の優先権を主張する。
【０００３】
誰かが家に入りたいことを当該家の住人に通知するべく、ドアベル及びドアノッカーのような装置が通常使用される。しかし、かかる装置は、聴覚障害者のような所定の人にとっては有効ではない。また、大きな家では、人が当該家の離れたところにいる場合にはドアベル又はドアノッカーを聞き取ることが困難な可能性もある。
【先行技術文献】
【特許文献】
【０００４】
【特許文献１】米国特許出願公開第２００６／０３３５９７（Ａ１）号明細書
【特許文献２】米国特許第５５７２１９０号明細書
【発明の概要】
【０００５】
一例では、ドア通知システムは、ドアに関連付けられた無線バッテリレススイッチと、照明負荷及び発音負荷に接続された受信機とを含む。受信機は、無線バッテリレススイッチからの信号に応答してドア通知を与えるべく動作可能である。ドア通知は、照明負荷のフラッシュ又は発音負荷からの音の少なくとも１つを含む。
【０００６】
他例では、ドア通知システムは、ドアに関連付けられた無線バッテリレススイッチと、電気コンセントに差し込まれるべく動作可能であり、かつ、ビルトイン発音負荷を含む携帯可能受信機とを含む。携帯可能受信機は、無線バッテリレススイッチからの信号に応答して発音負荷を作動させ音声信号を生成するべく動作可能である。
【０００７】
以下の明細書及び図面から、本発明のこれらの及びその他の特徴を最もよく理解することができる。図面の簡単な説明は以下のとおりである。
【図面の簡単な説明】
【０００８】
【図１】例示の無線バッテリレススイッチのアプリケーションを概略的に示す。
【図２】例示のドアベルスイッチのアプリケーションを概略的に示す。
【図３】例示のドアノッカースイッチのアプリケーションを概略的に示す。
【図４】可動受信機ユニットのアプリケーションを概略的に示す。
【発明を実施するための形態】
【０００９】
図１は、例示の無線バッテリレススイッチのアプリケーション１０を概略的に示す。無線バッテリレススイッチ１２は受信機１４と通信する。一例では、スイッチ１２は、上部１２ａ及び下部１２ｂを有する。上部１２ａが押されるとスイッチは第１信号を送信する。下部１２ｂが押されるとスイッチは第２信号を送信する。一例では、第１信号がオン信号であり、第２信号がオフ信号である。しかし、スイッチ１２は、１つの作動可能部のみを含んでもよい。また、上部１２ａ及び下部１２ｂを含まなくともよい。無線バッテリレススイッチはエネルギー自給式である。スイッチ１２は、例えばスイッチを動作させる人又は光起電力電池のような外部ソースからエネルギーを回収するべく動作可能なエネルギー回収器を含む。受信機１４は、スイッチ１２からの信号に応答して照明負荷１６又は発音負荷１８の少なくとも１つを電源２０に選択的に接続するべく動作可能である。
【００１０】
一例の無線バッテリレススイッチが、ＥｎＯｃｅａｎ（登録商標）から製品番号ＰＴＭ２５０として入手可能である。また、一例の受信機が、ＥｎＯｃｅａｎから製品番号ＲＣＭ１３０Ｃとして入手可能である。図１に示される受信機１４は多チャンネル受信機であるが、受信機１４は単チャンネル受信であってもよく、２よりも多い又は少ない要素に接続されてもよい。また、スイッチアプリケーション１０においては複数の受信機が使用されてもよい。
【００１１】
図２は、例示のドアベルスイッチのアプリケーション２８を概略的に示す。家３０は、ドア３２ａと、ドアベルボタンに組み込まれてドア３２ａに関連付けられた無線バッテリレスドアベルスイッチ３４ａとを含む。ドア３２ａは家３０への入口ドアとして示されているが、例えば、子供用ドア、ペット用ドア、地下室ドア、エレべータルーフドア、非常口ドア、又は高齢者用ドアのような他のドアが使用されてもよい。スイッチ３４ａはバッテリレスであり、太陽エネルギーを回収するべく動作可能である。または、スイッチ３４ａの作動から機械的エネルギーを回収するべく動作可能であってもよい。受信機１４ａは、照明負荷１６ａ及び発音負荷１８ａに接続される。照明負荷１６ａは、受信機１４ａによって制御される家３０内のシーリングライトのような標準的なライトに対応してよく、複数のライトに対応してもよい。発音負荷１８ａは、ドアベル音のような音声信号を発生するべく動作可能なスピーカに対応してよい。受信機１４ａがドアベルスイッチ３４ａから信号を受信すると、受信機１４ａはソフトウェアを使用して当該信号を処理し、照明負荷１６ａに関連付けられたライトをフラッシュさせるか又は音を発生する発音負荷１８ａを作動させることによりドア通知を与える。一例では、ドア通知は、照明負荷１６ａのフラッシュ及び発音負荷１８ａからの音を含む。受信機１４ａは標準の建物のライトを制御するべく動作可能であり、かつ、発音負荷１８ａを制御するので、このような態様での当該２つの相互接続が可能となる。また、家３０は、第２ドア３２ｂと、第２ドア３２ｂに関連付けられた第２無線バッテリレスドアベルスイッチ３４ｂとを含んでよい。また、スイッチ３４ｂが、照明負荷１６ａ及び発音負荷１８ａを作動させるべく動作可能であってもよい。
【００１２】
図３は、例示のドアノッカースイッチのアプリケーション３８を概略的に示す。家４０は、ドア３２ｃと、ドア３２ｃに関連付けられたドアノッカースイッチ４２とを含む。この例では、ドアノッカースイッチ４２は、機械的エネルギー回収器４４に接続される。機械的エネルギー回収器４４は、ドアノッカースイッチ４２の動きからエネルギーを回収するべく動作可能である。一例のエネルギー回収器がＥｎＯｃｅａｎから製品番号ＥＣＯ１００として入手可能である。ドアノッカースイッチ４２は、受信機１４ｂに信号を送信するべく作動する。受信機１４ｂは、照明負荷１６ｂ及び発音負荷１８ｂに接続される。受信機１４ｂがドアノッカースイッチ４２から信号を受信すると、受信機１４ｂはソフトウェアを使用して当該信号を処理し、照明負荷１６ａをフラッシュさせる又は発音負荷１８ａを作動させるといったドア通知を与える。前述の例のように、ライト１６は、シーリングライトのような標準の建物のライトであってよい。
【００１３】
図４は、可動受信機ユニット５０を概略的に示す。図４に示されるように、可動受信機ユニット５０は、家６０の壁５４のコンセント５２に差し込まれてよい。この例では、可動受信機ユニット５０が受信機として動作する。発音負荷１８ｃが可動受信機ユニット５０に組み込まれる。ドア３２ｄの無線バッテリレスドアベルスイッチ３４が作動すると、ドアベルスイッチ３４ｃは可動受信機ユニット５０に信号を送信する。可動受信器ユニット５０は、当該信号に応答して、ソフトウェアを使用して当該信号を処理し可動受信機ユニット５０内のドアベルを作動させる。人が、家中で可動受信機５０を持ち歩いてよい。また、可動受信機ユニット５０を異なるコンセントに差し込んでもよい。これにより、ドアベルスイッチ３４ｃが作動した場合に人が家内の離れたところにいても、ドアベル音のような音がなおも可聴となる。
【００１４】
なお、家３０、４０、６０は、複数のドアベルスイッチ３４、複数のドアノッカースイッチ４２、複数の照明負荷１６、複数の発音負荷１８、又は複数の可動受信機を含んでよい。受信機１４は、複数のドアベルスイッチ及び複数のドアノッカースイッチに応答するべくプログラムされてよい。発音負荷１８が、例えば異なる着信音のような異なる音を鳴らすことができる場合、受信機１４、５０は、どのスイッチが作動したかに基づいて又はスイッチからのクリックパターンに基づいて異なる音を作動させるべくプログラムされてよい。例えば、図２に示されるように、家３０は、第１ドアベルスイッチ３４ａ及び第２ドアベルスイッチ３４ｂを有する。発音負荷１８ａが異なる音を鳴らすことができる場合、受信機１４ａは、発音負荷１８ａに指令を与えるべくプログラムされてよい。これにより、第１ドアベルスイッチ３４ａが作動すると第１音が鳴り、第２ドアベルスイッチ３４ｂが作動すると第２音が鳴る。
【００１５】
また、受信機１４ａは、スイッチ３４ａからの第１クリックパターンに応答して第１通知を与えるべくプログラムされてよく、スイッチ３４ａからの第２クリックパターンに応答して第２通知を与えるべくプログラムされてもよい。これにより、住宅所有者のような人が異なる個人へ異なるクリックパターンを与え、当該人は、その通知に基づいて誰がドアのところにいるかを特定することができる。
【００１６】
本発明の好ましい実施例が説明されたが、当業者であれば所定の修正例も本発明の範囲内に入ることがわかるだろう。したがって、本発明の真の範囲及び内容を決定するべく以下の特許請求の範囲が精査されるべきである。
【図１】
0005681858.tif 000002
【図２】
0005681858.tif 000003
【図３】
0005681858.tif 000004
【図４】
0005681858.tif 000005